(57)【要約】【課題】防水性能を向上させること。【解決手段】外壁体１４における開口１５を挟んで対向配置された２つの端部１４ａから突出させた第１嵌入体３１と、カバー本体２１のそれぞれの端部２１ａに設け、スライド挿入と共に第１嵌入体が嵌入される第１嵌入溝３２と、外壁体に設けた第１嵌入体毎の壁体であり、スライド挿入方向に沿って延在させ、かつ、第１嵌入体の壁面に対する交差方向に沿うように延在させた内壁体３３と、内壁体の壁面３３ａに沿うようにカバー本体の内壁面２１ｄから内壁体毎に突出させ、スライド挿入と共にそれぞれの内壁体の壁面の間に嵌入させる交差壁体３４と、内壁体から開口に向けて突出させ且つスライド挿入方向に沿って延在させた内壁体毎の第２嵌入体３５と、カバー本体の内壁面に第２嵌入体毎に設けた溝であり、スライド挿入と共に第２嵌入体が嵌入される第２嵌入溝３６と、を備えること。【選択図】図３
2019068635.tif 000002
【特許請求の範囲】
【請求項１】
収容箱の外壁体における開口を挟んで対向配置された２つの端部から前記開口に沿って各々突出させた平板状の第１嵌入体と、
前記開口に沿わせて前記外壁体にスライド挿入され且つ前記外壁体の前記端部に対してスライド挿入完了後に対向配置される端部を前記外壁体の前記端部毎に有するスライドカバーの平板状のカバー本体に前記第１嵌入体毎に設けた溝であり、前記カバー本体のそれぞれの前記端部に各々設け、前記外壁体への前記カバー本体のスライド挿入と共に前記第１嵌入体が嵌入される第１嵌入溝と、
前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、
前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、
前記内壁体から前記開口に向けて突出させ且つ前記スライド挿入方向に沿って延在させた前記内壁体毎の第２嵌入体と、
前記カバー本体の前記内壁面に前記第２嵌入体毎に設けた溝であり、前記外壁体への前記カバー本体のスライド挿入と共に前記第２嵌入体が嵌入される第２嵌入溝と、
を備えることを特徴としたスライドカバーの防水構造。
【請求項２】
前記カバー本体は、前記スライド挿入方向に向かうほど幅が狭くなるように、それぞれの前記端部を前記スライド挿入方向に対して各々中央寄りに傾斜させ、
前記外壁体のそれぞれの前記端部は、各々、前記カバー本体のそれぞれの前記端部に対してスライド挿入完了後に等間隔で対向配置されるように傾斜させることを特徴とした請求項１に記載のスライドカバーの防水構造。
【請求項３】
開口を有する外壁体、及び、前記開口に沿わせて前記外壁体にスライド挿入される平板状のカバー本体を有するスライドカバーを備える収容箱と、
前記収容箱の内部で電線の一端側に電気的に接続される電子部品又は前記電子部品を収容及び保持する電子部品保持体であり、前記収容箱に収容される収容対象物と、
を備え、
前記外壁体は、前記開口を挟んで対向配置された２つの端部を有し、
前記カバー本体は、前記外壁体の前記端部に対してスライド挿入完了後に対向配置される端部を前記外壁体の前記端部毎に有し、
前記収容箱は、外方から内方への液体の浸入を抑える防水構造を備え、
前記防水構造は、
前記外壁体のそれぞれの前記端部から前記開口に沿って各々突出させた平板状の第１嵌入体と、
前記カバー本体のそれぞれの前記端部に各々設け、前記外壁体への前記カバー本体のスライド挿入と共に前記第１嵌入体が嵌入される第１嵌入溝と、
前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、
前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、
前記内壁体から前記開口に向けて突出させ且つ前記スライド挿入方向に沿って延在させた前記内壁体毎の第２嵌入体と、
前記カバー本体の前記内壁面に前記第２嵌入体毎に設けた溝であり、前記外壁体への前記カバー本体のスライド挿入と共に前記第２嵌入体が嵌入される第２嵌入溝と、
を備えることを特徴とした電気接続箱。
【請求項４】
開口を有する外壁体、及び、前記開口に沿わせて前記外壁体にスライド挿入される平板状のカバー本体を有するスライドカバーを備える収容箱と、
電線と、
前記収容箱の内部で前記電線の一端側に電気的に接続される電子部品又は前記電子部品を収容及び保持する電子部品保持体であり、前記収容箱に収容される収容対象物と、
を備え、
前記外壁体は、前記開口を挟んで対向配置された２つの端部を有し、
前記カバー本体は、前記外壁体の前記端部に対してスライド挿入完了後に対向配置される端部を前記外壁体の前記端部毎に有し、
前記収容箱は、外方から内方への液体の浸入を抑える防水構造を備え、
前記防水構造は、
前記外壁体のそれぞれの前記端部から前記開口に沿って各々突出させた平板状の第１嵌入体と、
前記カバー本体のそれぞれの前記端部に各々設け、前記外壁体への前記カバー本体のスライド挿入と共に前記第１嵌入体が嵌入される第１嵌入溝と、
前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、
前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、
前記内壁体から前記開口に向けて突出させ且つ前記スライド挿入方向に沿って延在させた前記内壁体毎の第２嵌入体と、
前記カバー本体の前記内壁面に前記第２嵌入体毎に設けた溝であり、前記外壁体への前記カバー本体のスライド挿入と共に前記第２嵌入体が嵌入される第２嵌入溝と、
を備えることを特徴としたワイヤハーネス。
【発明の詳細な説明】
【技術分野】
【０００１】
本発明は、スライドカバーの防水構造、電気接続箱及びワイヤハーネスに関する。
【背景技術】
【０００２】
従来、電気接続箱等の収容箱においては、外壁を成す壁体に開口が設けられているものもある。その開口は、壁面に沿ってスライドさせながら壁体に取り付けたスライドカバーによって塞がれる。スライドカバーは、開口を塞ぐことで収容箱の外壁の一部となるものであり、その外壁を成す壁体の壁面と同一の平面又はその壁体の壁面に対して平行にオフセットさせた平面が壁面として設けられたカバー本体を有する。この種の収容箱については、例えば、下記の特許文献１に開示されている。この特許文献１の収容箱は、カバー本体のスライド方向に沿って延在する両端部にカバー本体の壁面に沿う片体を各々設け、かつ、その片体をスライド挿入させる収容部を相手方の壁体に各々設けた防水構造を備えている。その収容部は、互いに間隔を空けた壁面同士を平行な状態で対向配置させた２つの片体と、その２つの片体を繋ぐ連結体と、を有する。その２つの片体と連結体は、カバー本体のスライド方向に沿って延在させている。収容部の２つの片体は、壁体の壁面と同一の平面又はその壁体の壁面に対して平行にオフセットさせた平面を自らの壁面とするものである。スライドカバーの片体は、その収容部の２つの片体の間にスライド挿入される。尚、下記の特許文献２に記載の収容箱では、スライドカバーが内方に配置され、かつ、対となる片体と収容部とが特許文献１とは逆に壁体とスライドカバーとに配置されている。そのスライドカバーのそれぞれの収容部は、防水性能の向上を意図するものではないが、電線を挟み込むように連結体を内方に向けて延在させている。
【先行技術文献】
【特許文献】
【０００３】
【特許文献１】特開２０１１−５５６３０号公報
【特許文献２】特開２０１２−２２８０７８号公報
【発明の概要】
【発明が解決しようとする課題】
【０００４】
このように、収容箱では、スライドカバーと壁体との間に、内方への液体（水等）の浸入を抑制するための防水構造が設けられている。但し、従来の防水構造は、液体の浸入を抑えるとの観点で改善の余地がある。
【０００５】
そこで、本発明は、防水性能の向上が可能なスライドカバーの防水構造、電気接続箱及びワイヤハーネスを提供することを、その目的とする。
【課題を解決するための手段】
【０００６】
上記目的を達成する為、本発明に係るスライドカバーの防水構造は、収容箱の外壁体における開口を挟んで対向配置された２つの端部から前記開口に沿って各々突出させた平板状の第１嵌入体と、前記開口に沿わせて前記外壁体にスライド挿入され且つ前記外壁体の前記端部に対してスライド挿入完了後に対向配置される端部を前記外壁体の前記端部毎に有するスライドカバーの平板状のカバー本体に前記第１嵌入体毎に設けた溝であり、前記カバー本体のそれぞれの前記端部に各々設け、前記外壁体への前記カバー本体のスライド挿入と共に前記第１嵌入体が嵌入される第１嵌入溝と、前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、前記内壁体から前記開口に向けて突出させ且つ前記スライド挿入方向に沿って延在させた前記内壁体毎の第２嵌入体と、前記カバー本体の前記内壁面に前記第２嵌入体毎に設けた溝であり、前記外壁体への前記カバー本体のスライド挿入と共に前記第２嵌入体が嵌入される第２嵌入溝と、を備えることを特徴としている。
【０００７】
ここで、前記カバー本体は、前記スライド挿入方向に向かうほど幅が狭くなるように、それぞれの前記端部を前記スライド挿入方向に対して各々中央寄りに傾斜させ、前記外壁体のそれぞれの前記端部は、各々、前記カバー本体のそれぞれの前記端部に対してスライド挿入完了後に等間隔で対向配置されるように傾斜させることが望ましい。
【０００８】
また、上記目的を達成する為、本発明に係る電気接続箱は、開口を有する外壁体、及び、前記開口に沿わせて前記外壁体にスライド挿入される平板状のカバー本体を有するスライドカバーを備える収容箱と、前記収容箱の内部で電線の一端側に電気的に接続される電子部品又は前記電子部品を収容及び保持する電子部品保持体であり、前記収容箱に収容される収容対象物と、を備え、前記外壁体は、前記開口を挟んで対向配置された２つの端部を有し、前記カバー本体は、前記外壁体の前記端部に対してスライド挿入完了後に対向配置される端部を前記外壁体の前記端部毎に有し、前記収容箱は、外方から内方への液体の浸入を抑える防水構造を備える。そして、前記防水構造は、前記外壁体のそれぞれの前記端部から前記開口に沿って各々突出させた平板状の第１嵌入体と、前記カバー本体のそれぞれの前記端部に各々設け、前記外壁体への前記カバー本体のスライド挿入と共に前記第１嵌入体が嵌入される第１嵌入溝と、前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、前記内壁体から前記開口に向けて突出させ且つ前記スライド挿入方向に沿って延在させた前記内壁体毎の第２嵌入体と、前記カバー本体の前記内壁面に前記第２嵌入体毎に設けた溝であり、前記外壁体への前記カバー本体のスライド挿入と共に前記第２嵌入体が嵌入される第２嵌入溝と、を備えることを特徴としている。
【０００９】
また、上記目的を達成する為、本発明に係るワイヤハーネスは、開口を有する外壁体、及び、前記開口に沿わせて前記外壁体にスライド挿入される平板状のカバー本体を有するスライドカバーを備える収容箱と、電線と、前記収容箱の内部で前記電線の一端側に電気的に接続される電子部品又は前記電子部品を収容及び保持する電子部品保持体であり、前記収容箱に収容される収容対象物と、を備え、前記外壁体は、前記開口を挟んで対向配置された２つの端部を有し、前記カバー本体は、前記外壁体の前記端部に対してスライド挿入完了後に対向配置される端部を前記外壁体の前記端部毎に有し、前記収容箱は、外方から内方への液体の浸入を抑える防水構造を備える。そして、前記防水構造は、前記外壁体のそれぞれの前記端部から前記開口に沿って各々突出させた平板状の第１嵌入体と、前記カバー本体のそれぞれの前記端部に各々設け、前記外壁体への前記カバー本体のスライド挿入と共に前記第１嵌入体が嵌入される第１嵌入溝と、前記収容箱の内方の前記第１嵌入体側で前記外壁体に設けた前記第１嵌入体毎の壁体であり、前記外壁体に対する前記カバー本体のスライド挿入方向に沿って延在させ、かつ、前記第１嵌入体の壁面に対する交差方向に沿うように延在させた内壁体と、前記内壁体の壁面に沿うように前記カバー本体の内壁面から前記内壁体毎に突出させ、前記外壁体への前記カバー本体のスライド挿入と共にそれぞれの前記内壁体の前記壁面の間に嵌入させる交差壁体と、前記内壁体から前記開口に向けて突出させ且つ前記スライド挿入方向に沿って延在させた前記内壁体毎の第２嵌入体と、前記カバー本体の前記内壁面に前記第２嵌入体毎に設けた溝であり、前記外壁体への前記カバー本体のスライド挿入と共に前記第２嵌入体が嵌入される第２嵌入溝と、を備えることを特徴としている。
【発明の効果】
【００１０】
本発明に係るスライドカバーの防水構造は、第１嵌入体及び第１嵌入溝の嵌入構造体で収容箱の外方からの液体の浸入を抑制することができる。また、この防水構造は、その嵌入構造体で抑えきれずに液体が浸入したとしても、その液体の更に奥への浸入を内壁体及び交差壁体の嵌入構造体と第２嵌入体及び第２嵌入溝の嵌入構造体とで抑えることができる。従って、この防水構造は、従来よりも防水性能を向上させることができる。また、本発明に係る電気接続箱とワイヤハーネスは、その防水構造を備えるものであるので、その防水構造の効果を奏することができる。
【図面の簡単な説明】
【００１１】
【図１】図１は、実施形態の電気接続箱とワイヤハーネスを示す斜視図であって、収容箱の内方を第２筐体部材側から透視した状態を表している。
【図２】図２は、実施形態の電気接続箱をスライドカバー側から見た平面図である。
【図３】図３は、実施形態のスライドカバーの防水構造を示す分解斜視図である。
【図４】図４は、収容箱側の防水構造の構成を示す斜視図である。
【図５】図５は、収容箱側の防水構造の構成を別角度から見た斜視図である。
【図６】図６は、スライドカバーを外壁面側から見た斜視図であって、スライドカバー側の防水構造の構成を示している。
【図７】図７は、スライドカバーを内壁面側から見た斜視図であって、スライドカバー側の防水構造の構成を示している。
【図８】図８は、スライドカバーを内壁面側から別角度で見た斜視図であって、スライドカバー側の防水構造の構成を示している。
【図９】図９は、スライドカバーの側面図であって、スライドカバー側の防水構造の構成を示している。
【図１０】図１０は、スライドカバーの背面図であって、スライドカバー側の防水構造の構成を示している。
【図１１】図１１は、図２のＸ１−Ｘ１線断面図であって、防水構造を拡大して表している。
【図１２】図１２は、図２のＸ２−Ｘ２線断面図であって、防水構造を拡大して表している。
【発明を実施するための形態】
【００１２】
以下に、本発明に係るスライドカバーの防水構造、電気接続箱及びワイヤハーネスの実施形態を図面に基づいて詳細に説明する。尚、この実施形態によりこの発明が限定されるものではない。
【００１３】
［実施形態］
本発明に係るスライドカバーの防水構造、電気接続箱及びワイヤハーネスの実施形態の１つを図１から図１２に基づいて説明する。
【００１４】
図１及び図２の符号１は、本実施形態の電気接続箱を示す。また、図１の符号ＷＨは、その電気接続箱１を備えた本実施形態のワイヤハーネスを示す。
【００１５】
本実施形態の電気接続箱１は、収容箱１０と、この収容箱１０に収容される少なくとも１つの収容対象物ＡＣと、を備える（図１）。
【００１６】
収容箱１０は、合成樹脂等の絶縁性材料で成形する。この収容箱１０は、収容室１１を少なくとも１つ有する（図１）。その収容室１１は、収容対象物ＡＣを収容するための部屋である。１つの収容室１１には、少なくとも１つの収容対象物ＡＣが収容される。また、この収容箱１０は、収容室１１に連通させた開口１２を少なくとも１つ有する（図１）。開口１２は、収容対象物ＡＣを収容室１１に収容する際の挿入口である。この収容箱１０においては、電線（電力供給線や信号線等）Ｗｅの一端側が内部の収容室１１に収容され、かつ、この電線Ｗｅの他端側が内部の収容室１１から外部に引き出される。よって、この収容箱１０は、電線Ｗｅを内部から外部に引き出すための引出口１３を少なくとも１つ有する（図１）。尚、図１では、複数本存在している電線Ｗｅの中の一部を図示している。
【００１７】
収容対象物ＡＣは、開口１２から挿入して収容室１１に収容される。この電気接続箱１での収容対象物ＡＣとしては、電線Ｗｅの一端側に電気的に接続される電子部品、又は、この電子部品を収容及び保持する電子部品保持体等が考えられる。本実施形態の電気接続箱１とは、収容箱１０を備えると共に、電子部品と電子部品保持体の内の少なくとも一方を収容対象物ＡＣとして備え、電子部品に対して電線Ｗｅを介して接続対象物（図示略）を電気的に接続させるものである。この電気接続箱１においては、収容箱１０の内部で電線Ｗｅが電子部品に対して電気的に接続されており、その収容箱１０の内部から外部に引き出された電線Ｗｅを介して電子部品が接続対象物に対して電気的に接続される。電気接続箱１は、その電線Ｗｅと共にワイヤハーネスＷＨを成す。
【００１８】
ここで、電子部品とは、例えば、リレー、ヒューズ等の回路保護部品、コネクタ、端子金具などのことを指している。ここでは、回路基板、電子制御ユニット（いわゆるＥＣＵ）等の電子機器についても、電子部品の一形態として考える。また、接続対象物とは、二次電池などの電源、電気機器（アクチュエータ等）などの負荷、センサなどのことを指している。電気接続箱１においては、例えば、或る電線Ｗｅが電源に対して電気的に接続され、かつ、これとは別の電線Ｗｅが負荷に対して電気的に接続されており、その電源と負荷とを電子部品を介して電気的に繋いでいる。
【００１９】
具体的に、この例示の収容箱１０は、第１筐体部材１０Ａと第２筐体部材１０Ｂと第３筐体部材１０Ｃの３つの部材を組み立てて形成される（図１）。
【００２０】
第１筐体部材１０Ａは、収容箱１０の主体部分を成すものであり、収容室１１及び開口１２を有する（図１）。この第１筐体部材１０Ａは、対向配置された２つの開口１２（第１開口１２Ａ，第２開口１２Ｂ）を両端に有する箱体であり、所謂フレームと称されることがある。この第１筐体部材１０Ａにおいては、収容室１１が複数形成されており、それぞれの収容室１１に収容対象物ＡＣが収容される。
【００２１】
この第１筐体部材１０Ａにおいては、収容対象物ＡＣとしての電子部品と収容対象物ＡＣとしての電子部品保持体に収容及び保持される電子部品とが第１開口１２Ａから挿入される。一方、収容対象物ＡＣとしての電子部品保持体は、第２開口１２Ｂから挿入される。電線Ｗｅは、その第２開口１２Ｂを介して収容室１１から引き出され、引出口１３に案内される。
【００２２】
この第１筐体部材１０Ａは、複数の平板状の外壁体１４で囲われた筒状の外壁を有している（図１）。この第１筐体部材１０Ａにおいては、その両端の開口が各々第１開口１２Ａ及び第２開口１２Ｂとして利用される。第１筐体部材１０Ａにおいては、複数の外壁体１４の内の少なくとも１つに開口１５が設けられている（図３から図５）。その開口１５は、切欠きの如く形成されている。この例示の開口１５は、第１開口１２Ａ側から切り欠かれている。外壁体１４は、その開口１５を挟んで対向配置された２つの端部１４ａを有する（図２から図５）。この外壁体１４においては、第１開口１２Ａ側から第２開口１２Ｂ側に向かうに連れて開口１５の幅が狭くなるように、それぞれの端部１４ａを傾斜させている。外壁体１４は、開口１５の第２開口１２Ｂ側に、開口１５を成し、かつ、それぞれの端部１４ａの第２開口１２Ｂ側を繋ぐ先端部１４ｂを有する（図２から図５）。
【００２３】
収容箱１０は、その開口１５を塞ぐスライドカバー２０も備えている（図１から図３及び図６から図１０）。スライドカバー２０は、開口１５に沿わせて外壁体１４にスライド挿入される平板状のカバー本体２１を有する。この例示の収容箱１０においては、カバー本体２１よりも内方側に金属端子Ｔｍ付きの電線Ｗｅが配策されており、その電線Ｗｅがスライドカバー２０を介して収容箱１０の外方に引き出されている（図１）。
【００２４】
カバー本体２１は、外壁体１４の端部１４ａに対してスライド挿入完了後に対向配置される端部２１ａを有する（図２、図３及び図６から図１０）。カバー本体２１は、その端部２１ａを外壁体１４の端部１４ａ毎に有している。また、このカバー本体２１は、外壁体１４の先端部１４ｂに対してスライド挿入完了後に対向配置される先端部２１ｂを有する（図２、図３及び図６から図１０）。このカバー本体２１は、その先端部２１ｂから開口１５にスライド挿入される。開口１５においては、第１開口１２Ａ側がカバー本体２１の挿入口１５ａとなる（図３）。
【００２５】
この例示のカバー本体２１は、スライド挿入完了後に外壁面２１ｃが外壁体１４の外壁面１４ｃと同一の平面上に配置されるように形成されている（図１、図１１及び図１２）。また、この例示のカバー本体２１は、外壁体１４に対するスライド挿入方向に向かうほど幅が狭くなるように、それぞれの端部２１ａをスライド挿入方向に対して各々中央寄りに傾斜させている。
【００２６】
第２筐体部材１０Ｂは、第１開口１２Ａを塞ぐカバー部材であり、第１開口１２Ａ側から第１筐体部材１０Ａに取り付ける。また、第３筐体部材１０Ｃは、第２開口１２Ｂを塞ぐカバー部材であり、第２開口１２Ｂ側から第１筐体部材１０Ａに取り付ける。
【００２７】
このように、本実施形態の電気接続箱１は、複数の収容室１１と複数の収容対象物ＡＣを備えており、その収容対象物ＡＣとして電子部品と電子部品保持体とが収容されている。
【００２８】
ところで、収容箱１０は、外方から内方への液体（水等）の浸入を抑える防水構造３０を備える（図３から図１２）。ここでは、外壁体１４とスライドカバー２０との間の防水性能を高めるための防水構造３０について説明する。
【００２９】
防水構造３０は、互いに嵌め合わせることで迷路構造を形成する第１嵌入体３１と第１嵌入溝３２とを備える（図３及び図１１）。その第１嵌入体３１と第１嵌入溝３２は、互いに嵌め合わせることで外壁体１４とスライドカバー２０との間の沿面距離を拡大させ、収容箱１０の外方から液体が浸入したとしても、その液体を収容箱１０の内方に到達させ難くする。
【００３０】
第１嵌入体３１は、外壁体１４のそれぞれの端部１４ａから開口１５に沿って各々突出させる（図４、図５及び図１１）。この第１嵌入体３１は、平板状の壁体として形成し、その壁面がスライド挿入方向に沿うように、スライド挿入方向に沿って延在させる。この例示の第１嵌入体３１は、開口１５における挿入口１５ａ側と外壁体１４の先端部１４ｂ側との間に亘って延在させている。この例示の第１嵌入体３１の内壁面３１ａは、外壁体１４の内壁面１４ｄと同一の平面上に配置されている（図１１）。一方、この例示の第１嵌入体３１の外壁面３１ｂは、外壁体１４の外壁面１４ｃに対して、収容箱１０の内方側にオフセットさせている（図４、図５及び図１１）。
【００３１】
第１嵌入溝３２は、カバー本体２１のそれぞれの端部２１ａに各々設ける。この第１嵌入溝３２は、外壁体１４へのカバー本体２１のスライド挿入と共に第１嵌入体３１が嵌入される溝である。この第１嵌入溝３２は、第１嵌入体３１毎に設けている。第１嵌入溝３２は、互いに間隔を空けた壁面同士を平行な状態で対向配置させた第１溝壁体３２ａと第２溝壁体３２ｂとを有する（図３、図６から図９及び図１１）。第１溝壁体３２ａと第２溝壁体３２ｂは、各々平板状の壁体として形成し、第１嵌入体３１が嵌入されるように、この第１嵌入体３１の板厚と同等の間隔を空けて対向配置させる。第１溝壁体３２ａと第２溝壁体３２ｂは、各々、カバー本体２１の壁面（外壁面２１ｃ、内壁面２１ｄ）に沿って端部２１ａから突出させている。
【００３２】
この例示の第１溝壁体３２ａは、外壁面３２ａ１がカバー本体２１の外壁面２１ｃと同一の平面上に配置されるように形成されている（図６、図１１及び図１２）。よって、この第１溝壁体３２ａは、スライド挿入完了後に、外壁面３２ａ１が外壁体１４の外壁面１４ｃと同一の平面上に配置されている。この例示の第１溝壁体３２ａは、対向配置される第１嵌入体３１の外壁面３１ｂの全体を覆い隠すことができるように、カバー本体２１の端部２１ａに沿ってスライド挿入方向に延在させている。
【００３３】
第２溝壁体３２ｂは、スライド挿入方向にて、対向配置される第１嵌入体３１の内壁面３１ａの全体を覆い隠すことができるように、カバー本体２１の端部２１ａに沿って延在させてもよい。つまり、第１嵌入溝３２は、第１嵌入体３１の全体を嵌入させるものであってもよい。但し、この例示の第２溝壁体３２ｂは、開口１５における挿入口１５ａ側にのみ設けられている。よって、この例示の第１嵌入溝３２は、スライド挿入完了後の第１嵌入体３１の挿入口１５ａ側のみを嵌入させる。
【００３４】
防水構造３０は、更に、収容箱１０の内方で第１嵌入体３１及び第１嵌入溝３２の壁面に対する交差方向で外壁体１４とスライドカバー２０との間の沿面距離を拡大させる内壁体３３と交差壁体３４とを備える（図３、図１１及び図１２）。その内壁体３３と交差壁体３４は、第１嵌入体３１と第１嵌入溝３２との間を液体が伝ってきたとしても、その液体を収容箱１０の内方（カバー本体２１の裏）の金属端子Ｔｍ付きの電線Ｗｅに到達させ難くする。
【００３５】
内壁体３３は、収容箱１０の内方の第１嵌入体３１側で外壁体１４に設けた平板状の壁体である。この内壁体３３は、第１嵌入体３１毎に設け、各々連結体１６を介して外壁体１４に一体化させている（図１１及び図１２）。この内壁体３３は、第１嵌入体３１に対して間隔を空けて設ける。内壁体３３は、外壁体１４に対するカバー本体２１のスライド挿入方向に沿って延在させ、かつ、第１嵌入体３１の壁面に対する交差方向に沿うように延在させる。この例示の内壁体３３は、開口１５における挿入口１５ａ側と外壁体１４の先端部１４ｂ側との間に亘って延在させている。それぞれの内壁体３３は、互いに間隔を空けて対向配置された壁面３３ａを各々有する（図４、図５、図１１及び図１２）。また、この例示の内壁体３３は、第１嵌入体３１の壁面に対して直交させている。よって、この例示のそれぞれの内壁体３３の壁面３３ａは、互いに間隔を空けて平行な状態で対向配置されている。
【００３６】
交差壁体３４は、内壁体３３の壁面３３ａに沿うようにカバー本体２１の内壁面２１ｄから突出させた平板状の壁体である。この交差壁体３４は、内壁体３３毎に設けている。交差壁体３４は、スライド挿入方向に沿って延在させ、かつ、カバー本体２１の内壁面２１ｄに対する交差方向に沿うように延在させる。この例示の交差壁体３４は、対向配置される内壁体３３の壁面３３ａの全体を壁面３４ａで覆い隠すことができるように形成している（図１１及び図１２）。スライドカバー２０においては、それぞれの交差壁体３４の間に空間Ｓが形成されており（図７、図８及び図１０から図１２）、その空間に金属端子Ｔｍ付きの電線Ｗｅを収容する。よって、それぞれの交差壁体３４は、その相互間で金属端子Ｔｍ付きの電線Ｗｅを覆い隠すことができるように形成する。また、この例示の交差壁体３４は、カバー本体２１の内壁面２１ｄに対して直交させている。よって、この例示のそれぞれの交差壁体３４は、互いに間隔を空けて平行な状態で対向配置されている。
【００３７】
ここで、それぞれの交差壁体３４は、外壁体１４へのカバー本体２１のスライド挿入と共に、それぞれの内壁体３３の壁面３３ａの間に嵌入させるように形成する。これにより、対となる内壁体３３と交差壁体３４との間では、対向配置された壁面３３ａと壁面３４ａとの間の隙間が液体の浸入を抑え得るだけの間隔になっている。
【００３８】
防水構造３０は、更に、第１嵌入体３１及び第１嵌入溝３２の嵌入構造体とは別の嵌入構造体として、互いに嵌め合わせることで迷路構造を形成する第２嵌入体３５（図３から図５及び図１２）と第２嵌入溝３６（図７から図１０及び図１２）とを備える。その第２嵌入体３５と第２嵌入溝３６は、互いに嵌め合わせることによって、収容箱１０の内方で、第１嵌入体３１及び第１嵌入溝３２の壁面に対する外壁体１４とスライドカバー２０との間の沿面距離を拡大させる。この第２嵌入体３５と第２嵌入溝３６は、第１嵌入体３１と第１嵌入溝３２との間を液体が伝ってきたとしても、その液体を収容箱１０の内方（カバー本体２１の裏）の金属端子Ｔｍ付きの電線Ｗｅに到達させ難くする。
【００３９】
第２嵌入体３５は、内壁体３３から開口１５に向けて突出させ且つスライド挿入方向に沿って延在させた平板状の壁体である。この第２嵌入体３５は、内壁体３３毎に設ける。この第２嵌入体３５は、第１嵌入体３１の壁面に対する交差方向に沿うように延在させる。この例示の第２嵌入体３５は、一方の壁面３５ａが内壁体３３の壁面３３ａと同一の平面上に配置されるように形成する（図３から図５及び図１２）。よって、この第２嵌入体３５は、第１嵌入体３１の壁面に対して直交させている。そして、この第２嵌入体３５の壁面３５ａには、内壁体３３の壁面３３ａと同じように、交差壁体３４の壁面３４ａが対向配置される。また、この例示の第２嵌入体３５は、内壁体３３の開口１５側の端部を開口１５側に向けて延在させたものであり、この内壁体３３の一部として設けられている。
【００４０】
この第２嵌入体３５は、開口１５における挿入口１５ａ側と外壁体１４の先端部１４ｂ側との間に亘って延在させたものであってもよく、その間の一部でスライド挿入方向に延在させたものであってもよい。この例示の第２嵌入体３５は、スライド挿入方向にて第１嵌入溝３２よりも先端部１４ｂ側で、第１嵌入溝３２側と先端部１４ｂ側との間に亘って延在させている。
【００４１】
第２嵌入溝３６は、カバー本体２１の内壁面２１ｄに第２嵌入体３５毎に設ける。この第２嵌入溝３６は、外壁体１４へのカバー本体２１のスライド挿入と共に第２嵌入体３５が嵌入される溝である。第２嵌入溝３６は、互いに間隔を空けた壁面同士を平行な状態で対向配置させた第１溝壁体３６ａと第２溝壁体３６ｂとを有する（図７、図８、図１０及び図１２）。第１溝壁体３６ａと第２溝壁体３６ｂは、各々平板状の壁体として形成し、第２嵌入体３５が嵌入されるように、この第２嵌入体３５の板厚と同等の間隔を空けて対向配置させる。また、第１溝壁体３６ａと第２溝壁体３６ｂは、各々、カバー本体２１の内壁面２１ｄから当該内壁面２１ｄに対する交差方向に向けて突出させる。この例示の第１溝壁体３６ａと第２溝壁体３６ｂは、各々、その内壁面２１ｄに対する直交方向に向けて突出させている。
【００４２】
第１溝壁体３６ａは、スライド挿入方向にて、対向配置される第２嵌入体３５の一方の壁面３５ａの全体を覆い隠すことができるように延在させてもよく、その一方の壁面３５ａにおける一部を覆い隠すことができるように延在させてもよい。この例示の第１溝壁体３６ａは、その一方の壁面３５ａの全体を覆い隠すことができるようにスライド挿入方向に延在させている。
【００４３】
ここで、この例示の第２嵌入溝３６においては、第２嵌入体３５に対向配置される交差壁体３４の一部（カバー本体２１側の根元の一部）を第１溝壁体３６ａとして利用する（図７、図８及び図１２）。
【００４４】
第２溝壁体３６ｂは、スライド挿入方向にて、対向配置される第２嵌入体３５の他方の壁面３５ｂ（図４、図５及び図１２）の全体を覆い隠すことができるように延在させてもよく、その他方の壁面３５ｂにおける一部を覆い隠すことができるように延在させてもよい。この例示の第２溝壁体３６ｂは、その他方の壁面３５ｂの全体を覆い隠すことができるようにスライド挿入方向に延在させている。つまり、この第２溝壁体３６ｂは、スライド挿入方向にて第１嵌入溝３２よりも先端部１４ｂ側で、第１嵌入溝３２側と先端部１４ｂ側との間に亘って延在させている。よって、この例示の第２嵌入溝３６は、スライド挿入完了後に、カバー本体２１の先端部１４ｂ側で第２嵌入体３５を嵌入させている。ここで、この例示の第２溝壁体３６ｂは、第１嵌入溝３２の溝底を成している。
【００４５】
このように、この例示の収容箱１０では、第１嵌入体３１及び第１嵌入溝３２の嵌入構造体と第２嵌入体３５及び第２嵌入溝３６の嵌入構造体とが、開口１５における挿入口１５ａ側と外壁体１４の先端部１４ｂ側とに分けて配置されている。そして、この例示の収容箱１０では、それぞれの嵌入構造体がスライド挿入方向に並べて配置されている。
【００４６】
以上示したように、本実施形態のスライドカバー２０の防水構造３０は、第１嵌入体３１及び第１嵌入溝３２の嵌入構造体で収容箱１０の外方からの液体の浸入を抑制することができる。また、この防水構造３０は、その嵌入構造体で抑えきれずに液体が浸入したとしても、その液体の更に奥への浸入を内壁体３３及び交差壁体３４の嵌入構造体と第２嵌入体３５及び第２嵌入溝３６の嵌入構造体とで抑えることができる。従って、この防水構造３０は、従来よりも防水性能を向上させることができる。
【００４７】
更に、本実施形態のスライドカバー２０の防水構造３０は、外壁体１４において、第１開口１２Ａ側から第２開口１２Ｂ側に向かうに連れて開口１５の幅が狭くなるように、それぞれの端部１４ａを傾斜させている。そして、カバー本体２１は、外壁体１４に対するスライド挿入方向に向かうほど幅が狭くなるように、それぞれの端部２１ａをスライド挿入方向に対して各々中央寄りに傾斜させている。
【００４８】
ここで、外壁体１４のそれぞれの端部１４ａは、各々、カバー本体２１のそれぞれの端部２１ａに対してスライド挿入完了後に等間隔で対向配置されるように傾斜させる。これにより、収容箱１０においては、カバー本体２１を外壁体１４へとスライド挿入させる際の挿入作業性を向上させることができ、かつ、スライド挿入完了後の外壁体１４とカバー本体２１との間のがたつきを抑えることができる。
【００４９】
例えば、カバー本体２１を外壁体１４へとスライド挿入させる際には、先ず、カバー本体２１の先端部２１ｂが開口１５における挿入口１５ａに到達する。その挿入口１５ａの幅は、外壁体１４のそれぞれの端部１４ａの傾斜とカバー本体２１のそれぞれの端部２１ａの傾斜とによって、カバー本体２１の先端部２１ｂの幅よりも広くなっている。つまり、外壁体１４においては、カバー本体２１をスライド挿入させ始めるときの間口（挿入口１５ａ）が広く取られている。よって、この外壁体１４においては、開口１５がカバー本体２１の先端部２１ｂを拾い易くなっているので、カバー本体２１をスライド挿入させる際の挿入作業性に優れたものとなっている。また、外壁体１４においては、その間口の広さ故に、カバー本体２１が所期のスライド挿入方向に対して傾きながら挿入し始めたとしても、カバー本体２１の噛み込みが発生し難くなっている。よって、この外壁体１４においては、カバー本体２１のスライド挿入作業をそのまま続けていくことができる。
【００５０】
更に、外壁体１４とカバー本体２１との間においては、カバー本体２１のスライド挿入作業が進行するに連れて、端部１４ａと端部２１ａとの間隔が狭まっていき、スライド挿入完了位置に到達することで、その間隔が最も狭くなる。よって、外壁体１４とカバー本体２１との間においては、スライド挿入完了後の端部１４ａ，２１ａ同士の間隔を生産性やスライド挿入作業性を考慮した上で最も狭めることによって、がたつきを抑え、かつ、端部１４ａと端部２１ａの間からの液体の浸入を抑えることができる。このように、本実施形態のスライドカバー２０の防水構造３０は、端部１４ａ，２１ａ同士を傾斜させることによって、防水性能の更なる向上を図ることができる。
【００５１】
また、本実施形態の電気接続箱１とワイヤハーネスＷＨは、その防水構造３０を備えるものであるので、その防水構造３０の効果を奏することができる。
【符号の説明】
【００５２】
１  電気接続箱
１０  収容箱
１４  外壁体
１４ａ  端部
１４ｂ  先端部
１４ｃ  外壁面
１４ｄ  内壁面
１５  開口
１５ａ  挿入口
２０  スライドカバー
２１  カバー本体
２１ａ  端部
２１ｂ  先端部
２１ｃ  外壁面
２１ｄ  内壁面
３０  防水構造
３１  第１嵌入体
３１ａ  内壁面
３１ｂ  外壁面
３２  第１嵌入溝
３３  内壁体
３３ａ  壁面
３４  交差壁体
３４ａ  壁面
３５  第２嵌入体
３５ａ  壁面
３５ｂ  壁面
３６  第２嵌入溝
ＡＣ  収容対象物
Ｗｅ  電線
ＷＨ  ワイヤハーネス
【図１】
2019068635.tif 000003
【図２】
2019068635.tif 000004
【図３】
2019068635.tif 000005
【図４】
2019068635.tif 000006
【図５】
2019068635.tif 000007
【図６】
2019068635.tif 000008
【図７】
2019068635.tif 000009
【図８】
2019068635.tif 000010
【図９】
2019068635.tif 000011
【図１０】
2019068635.tif 000012
【図１１】
2019068635.tif 000013
【図１２】
2019068635.tif 000014